(57)【要約】【課題】ガスコンセント不使用時における美観の低下を回避し、塵埃などの異物の付着・侵入などに起因する不都合の発生を回避し得るガスコンセント用の保護カバーの提供。【解決手段】ガス器具に接続可能な接続部１３が、本体部５に対し回転軸芯周りに回転自在なガスコンセント用の保護カバー４で、接続部１３の回転を許容する回転用開口部２６および接続部１３を回転操作する回転操作部用開口部２７を除いてガスコンセント１の全体を覆う固定カバー１９と、回転用開口部２６の閉鎖位置と解放位置とに移動可能な可動カバー２０を有し、接続部１３が、ガス器具を接続可能な使用位置と接続不能な不使用位置とにわたって回転自在で、回転操作部３６が固定カバー１９の外側に配設され、カバー移動機構２８が、接続部１３の使用位置への回転に伴って可動カバー２０を解放位置へ、不使用位置への回転に伴って閉鎖位置へ移動させる。【選択図】図２
2014190521.tif 000002
【特許請求の範囲】
【請求項１】
ガス供給配管に接続可能な本体部と、当該本体部に筒中心軸を回転軸芯として回転自在に接続された回転筒部と、ガス器具に接続可能な接続部を有し、当該接続部が前記回転筒部から前記回転軸芯にほぼ直交する方向に一体的に延出されて当該回転軸芯周りに回転自在なガスコンセント用の保護カバーであって、
前記回転軸芯周りでの前記接続部の回転を許容する回転用開口部および前記接続部を回転操作する回転操作部の貫通する操作用開口部を除いて前記ガスコンセントの全体を覆う固定カバーと、前記回転用開口部を閉鎖する閉鎖位置と前記固定カバーの内側に位置して当該回転用開口部を解放する解放位置とにわたって移動可能な可動カバーを有し、
当該保護カバーの装着状態で、前記接続部が、当該接続部に対して前記ガス器具を接続可能な使用位置と接続不能な不使用位置とにわたって回転自在に構成されるとともに、前記回転操作部が前記固定カバーを貫通して当該固定カバーの外側に配設され、
前記接続部と前記可動カバーとの間にカバー移動機構が設けられ、当該カバー移動機構が、前記接続部の使用位置への回転に伴って前記可動カバーを解放位置へ移動させ、不使用位置への回転に伴って前記可動カバーを閉鎖位置へ移動させるガスコンセント用の保護カバー。
【請求項２】
前記カバー移動機構が、前記可動カバーを閉鎖位置へ弾性付勢する弾性体と、当該弾性体の付勢力に抗して前記可動カバーを解放位置へスライド移動させるスライド機構により構成され、当該スライド機構が、前記可動カバー側に設けられたスライド用傾斜面を有し、当該スライド用傾斜面が、前記接続部側に設けられた押圧部により当該接続部の回転に伴って押圧される請求項１に記載のガスコンセント用の保護カバー。
【請求項３】
前記回転操作部が、前記回転軸芯と同一軸芯上に位置されて前記回転筒部から突設されている請求項１または２に記載のガスコンセント用の保護カバー。
【発明の詳細な説明】
【技術分野】
【０００１】
本発明は、ガス供給配管に接続可能な本体部と、当該本体部に筒中心軸を回転軸芯として回転自在に接続された回転筒部と、ガス器具に接続可能な接続部を有し、当該接続部が前記回転筒部から前記回転軸芯にほぼ直交する方向に一体的に延出されて当該回転軸芯周りに回転自在なガスコンセント用の保護カバーに関する。
【背景技術】
【０００２】
このような接続部が回転するガスコンセントは、例えば、ガス器具の設置方向に応じて接続部の向きを自由に変えることができ、実際の使用に際して使い勝手が良いため、従来から知られており、また、実施もされている（例えば、特許文献１参照）。
【先行技術文献】
【特許文献】
【０００３】
【特許文献１】実用新案登録第２６０４０２１号公報
【発明の概要】
【発明が解決しようとする課題】
【０００４】
しかし、接続部が回転するガスコンセントを含めて、従来のガスコンセントでは、ガスコンセント全体を覆うような特殊な保護カバーは存在せず、そのため、当該接続部にガス器具を接続しないガスコンセント不使用時においても、ガスコンセントが露出した状態のままであった。
したがって、ガスコンセント不使用時に美観が損なわれるばかりか、例えば、ガスコンセントの接続部への異物の付着や他物の当接などによってガスコンセントの一部が損傷する可能性があった。特に接続部が回転するガスコンセントでは、接続部の回転箇所に塵埃などの異物が噛み込んで回転不良を起こす可能性があり、また、接続部内に設けられる弁機構への塵埃の付着や侵入の可能性も高く、この点に改良の余地があった。
【０００５】
本発明は、このような従来の問題点に着目したもので、その目的は、接続部が回転するガスコンセントの当該接続部の回転を有効に利用して、ガスコンセント不使用時における美観の低下を回避するとともに、塵埃などの異物の付着・侵入や他物の当接などに起因する不都合の発生を回避し得るガスコンセント用の保護カバーを提供することにある。
【課題を解決するための手段】
【０００６】
上記目的を達成するための本発明によるガスコンセント用の保護カバーは、ガス供給配管に接続可能な本体部と、当該本体部に筒中心軸を回転軸芯として回転自在に接続された回転筒部と、ガス器具に接続可能な接続部を有し、当該接続部が前記回転筒部から前記回転軸芯にほぼ直交する方向に一体的に延出されて当該回転軸芯周りに回転自在なガスコンセント用の保護カバーであって、
その特徴構成は、前記回転軸芯周りでの前記接続部の回転を許容する回転用開口部および前記接続部を回転操作する回転操作部の貫通する操作用開口部を除いて前記ガスコンセントの全体を覆う固定カバーと、前記回転用開口部を閉鎖する閉鎖位置と前記固定カバーの内側に位置して当該回転用開口部を解放する解放位置とにわたって移動可能な可動カバーを有し、当該保護カバーの装着状態で、前記接続部が、当該接続部に対して前記ガス器具を接続可能な使用位置と接続不能な不使用位置とにわたって回転自在に構成されるとともに、前記回転操作部が前記固定カバーを貫通して当該固定カバーの外側に配設され、前記接続部と前記可動カバーとの間にカバー移動機構が設けられ、当該カバー移動機構が、前記接続部の使用位置への回転に伴って前記可動カバーを解放位置へ移動させ、不使用位置への回転に伴って前記可動カバーを閉鎖位置へ移動させる点にある。
【０００７】
上記特徴構成によれば、保護カバーの装着状態で、ガスコンセントの接続部と可動カバーとの間に設けられるカバー移動機構が、接続部の使用位置への回転に伴って可動カバーを解放位置へ移動させて、固定カバーに設けられる回転用開口部を解放するので、当該回転用開口部から突出する接続部にガス器具を接続して、従来と同様にガスコンセントを使用することができる。そして、ガスコンセントの不使用時（ガス器具の非接続時）には、カバー移動機構が、接続部の不使用位置への回転に伴って可動カバーを閉鎖位置へ移動させて、固定カバーの回転用開口部を閉鎖するので、ガスコンセントのほぼ全体が、固定カバーと可動カバーによって覆われることになる。
このようにして、接続部が回転するガスコンセントの当該接続部の回転を有効に利用し、ガスコンセント不使用時には、固定カバーと可動カバーを有する保護カバーによりガスコンセントを覆って美観の低下を回避するとともに、塵埃などの異物の付着・侵入や他物の当接から保護して、不都合な事態の発生を回避することができる。
【０００８】
本発明によるガスコンセント用の保護カバーの更なる特徴構成は、前記カバー移動機構が、前記可動カバーを閉鎖位置へ弾性付勢する弾性体と、当該弾性体の付勢力に抗して前記可動カバーを解放位置へスライド移動させるスライド機構により構成され、当該スライド機構が、前記可動カバー側に設けられたスライド用傾斜面を有し、当該スライド用傾斜面が、前記接続部側に設けられた押圧部により当該接続部の回転に伴って押圧される点にある。
【０００９】
上記特徴構成によれば、カバー移動機構が、可動カバーを閉鎖位置へ弾性付勢する弾性体と、当該弾性体の付勢力に抗して可動カバーを解放位置へスライド移動させるスライド機構により構成され、当該スライド機構が、接続部側に設けられた押圧部により押圧されるべく、可動カバー側に設けられたスライド用傾斜面を有する構成であるため、比較的簡単な機構によって、可動カバーを回転用開口部の閉鎖位置と解放位置とにわたって確実にスライド移動させることができる。
【００１０】
本発明によるガスコンセント用の保護カバーの更なる特徴構成は、前記回転操作部が、前記回転軸芯と同一軸芯上に位置されて前記回転筒部から突設されている点にある。
【００１１】
上記特徴構成によれば、接続部を回転操作する回転操作部が、接続部の回転軸芯と同一軸芯上に位置されて回転筒部から突設されているので、当該回転操作部の貫通する操作用開口部を回転操作部の貫通箇所における直径よりもやや大径にするだけで済み、操作用開口部からの塵埃などの異物の侵入も確実に回避することができる。
【図面の簡単な説明】
【００１２】
【図１】ガスコンセントと保護カバーの斜視図
【図２】ガスコンセントと保護カバーの分解斜視図
【図３】ガスコンセントと保護カバーの縦断側面図
【図４】カバー移動機構の作動を説明するための説明図
【図５】カバー移動機構の作動を説明するための説明図
【図６】別実施形態によるガスコンセントと保護カバーの斜視図
【発明を実施するための形態】
【００１３】
本発明に係るガスコンセント１は、例えば、図１に示すように、ガスコンロの天板２などに固定されてガスコンロ用コンセントとして使用される。当該ガスコンセント１に対して、図３に仮想線で示すように、図外のガスコンロ（ガス機器）に接続されるゴムなどの可撓製のホースＨの一端に設けられる継手部材３を介してガスコンロを接続することにより、都市ガスやプロパンガスなどのガス燃料をガスコンロに供給するもので、そのガスコンセント１が、本発明による保護カバー４によって覆われている。
【００１４】
ガスコンセント１そのものは従来公知のもので、図３に示すように、上下方向に配設された筒状の本体部５を有し、本体部５の下端は、ガス供給側のガス供給配管Ｐに接続可能な配管接続部６に構成され、本体部５の上端は、回転筒部８を接続する筒部接続部７に構成されて、当該筒部接続部７に回転筒部８が連通接続されている。
回転筒部８の下方部分９は、その外径が上方部分１０よりも小径に構成されて、その小径の下方部分９が、本体部５の筒部接続部７に内嵌され、筒部接続部７の内周部と下方部分９の外周部との間には、複数のシール材１１が介在されて、筒部接続部７と下方部分９との間からのガス燃料の漏洩が防止されている。
【００１５】
回転筒部８における下方部分９の下端近くには、本体部５の筒部接続部７の内径より大径に構成された従来公知のストッパリング１２が嵌合係止され、当該ストッパリング１２および回転筒部８における上方部分１０と下方部分９との段部が、本体部５の筒部接続部７を上下から挟む状態となって、回転筒部８が、その筒中心軸を回転軸芯Ｌとしてガスコンセント１の本体部５に回転自在に接続されている。
当該回転筒部８には、継手部材３に接続可能な接続部１３が一体的に設けられて、回転筒部８の回転軸芯Ｌにほぼ直交する方向に延出され、それによって、接続部１３がガスコンセント１の本体部５に対して回転軸芯Ｌの周りに３６０°回転するように構成されている。当該接続部１３内には、従来公知の構成であるため詳しい説明は省略するが、円筒栓１４、バルブ１５、閉弁用の複数のスプリング１６などを備えた二重シール式弁機構１７が設けられ、接続部１３に連通する回転筒部８内には、これも従来公知の過流出防止弁機構１８が設けられている。
【００１６】
ガスコンセント１を覆う保護カバー４は、図１および図２に示すように、固定カバー１９と可動カバー２０を有し、固定カバー１９を取り付けるための取り付け板２１が、ガスコンセント１の本体部５と天板２との間に挟み込まれて天板２と本体部５に対して固定されている。当該取り付け板２１には、その上面に複数の取り付け爪２２が突設され、金属や合成樹脂などにより一体的に形成されている。
なお、取り付け板２１の固定に関しては、特に上述した固定方法に限るものではなく、例えば、ビスなどの固定具や接着剤などにより天板２やガスコンセント１の本体部５に固定することも、また、ガスコンセント１の本体部５と一体的に構成することもできる。
【００１７】
固定カバー１９は、ガスコンセント１の本体部５の周囲を覆う筒状の下方カバー部２３、回転筒部８と接続部１３の上面を覆う上方カバー部２４、および、上下のカバー部２３、２４を連結する後方カバー部２５を備え、金属や合成樹脂などにより一体的に形成されている。
すなわち、固定カバー１９は、後に詳しく説明するように、取り付け板２１に取り付けた装着状態で、接続部１３の回転を許容する回転用開口部２６と、接続部１３を回転操作するための後述する回転操作部が貫通する円形の操作用開口部２７を除いてガスコンセント１の全体をすっぽりと覆うように構成されている。
【００１８】
可動カバー２０も金属や合成樹脂により形成され、固定カバー１９の下方カバー部２３の内面に沿ってスライド移動可能な形状に構成されている。当該可動カバー２０は、図１の（ｂ）に示すように、上方にスライド移動して固定カバー１９の回転用開口部２６を閉鎖する閉鎖位置と、図１の（ａ）に示すように、固定カバー１９の内側に位置するように下方にスライド移動して回転用開口部２６を解放する解放位置とにわたって移動可能に構成されている。
当該可動カバー２０を閉鎖位置と解放位置とに移動させるのがカバー移動機構２８で、カバー移動機構２８は、保護カバー４を装着した状態で、ガスコンセント１の接続部１３と協働して作動するように、接続部１３と可動カバー２０との間に設けられている。
【００１９】
すなわち、カバー移動機構２８は、図２および図３に示すように、可動カバー２０を上方の閉鎖位置へ弾性付勢するように、取り付け板２１と可動カバー２０の間に介装された複数の弾性体としてのスプリング２９と、当該スプリング２９の付勢力に抗して可動カバー２０を解放位置へスライド移動させるスライド機構３０により構成されている。
当該スライド機構３０は、図４および図５にも示すように、上面がスライド用傾斜面３１に形成された左右一対の傾斜部材３２を含み、両傾斜部材３２が、平面視において後方側（図４（ａ）および図５（ａ）における下方側）ほど互いに近接するように円弧状に配設されて、可動カバー２０の内側に底部材３３を介して一体的に連設されている。両傾斜部材３２の後方側の最近接箇所には、ガスコンセント１の接続部１３が入り込む凹入部３４が設けられ、両傾斜部材３２の左右端部が可動カバー２０の上面と一致する高さに設定されている。
【００２０】
両傾斜部材３２のスライド用傾斜面３１に沿って当該傾斜面３１を押圧するのが、接続部１３側に設けられる押圧部３５で、この実施形態では、ガスコンセント１の接続部１３の下面が押圧部３５として機能するように構成されている。すなわち、ガスコンセント１の接続部１３を回転軸芯Ｌ周りに回転させるのに伴って、図４の（ｂ）に矢印で示すように、押圧部３５がスライド用傾斜面３１を下方へ押圧し、スプリング２９の付勢力に抗して可動カバー２０を解放位置へスライド移動させるように構成されている。そのため、ガスコンセント１の回転筒部８の上面には、回転軸芯Ｌと同一軸芯上に位置するように円柱状の回転操作部３６が突設され、保護カバー４を装着した状態で、回転操作部３６が、固定カバー１９の操作用開口部２７を貫通して固定カバー１９の外側に突出するように構成されている。
そして、回転操作部３６の上面には、接続部１３の向きを表示する向き表示３７が設けられ、当該向き表示３７に対応して、固定カバー１９の上方カバー部２４の上面には、ガスコンセント１の接続部１３が収納位置にあるか否かを表示する収納表示３８が設けられている。
【００２１】
つぎに、このガスコンセント用の保護カバー４の使用方法とカバー移動機構２８の作動について説明する。
固定カバー１９と可動カバー２０からなる保護カバー４をガスコンセント１に被せ、取り付け爪２２により取り付け板２１に固定した装着状態で、図１の（ａ）に示すように、回転操作部３６上面の向き表示３７が収納表示３８の「収納」の反対方向を向いていれば、接続部１３が固定カバー１９の回転用開口部２６から十分に突出しており、当該接続部１３に継手部材３を外嵌接続することができる。
当該継手部材３は、一般に「カチット」と称される迅速継手のカチット本体で、詳しい説明は省略するが、継手部材３の接続作動に伴って、二重シール式弁機構１７が開弁し、ガス供給配管Ｐからのガス燃料が、ガスコンセント１、継手部材３、ホースＨを介して図外のガスコンロ（ガス器具）に供給される。
【００２２】
ガスコンセント１の不使用時には、ガスコンセント１の接続部１３から継手部材３を外した状態で、回転操作部３６の向き表示３７が収納表示３８の「収納」方向を向くように、回転操作部３６を時計回りまたは反時計回りへ人為的に回転させる。
回転操作部３６の回転によって、接続部１３も継手部材３が接続可能な使用位置から接続不能な不使用位置側へと一体的に回転し、図４の（ａ）、（ｂ）に示すように、当該接続部１３の回転に伴って、接続部１３の下面である押圧部３５が両傾斜部材３２のいずれか一方のスライド用傾斜面３１に沿って後方側（図４（ａ）における下方側）へ移動し、可動カバー２０がスプリング２９の弾性付勢力により徐々に上昇する。
向き表示３７が収納表示３８の「収納」の位置にくると、図５の（ａ）、（ｂ）に示すように、接続部１３が凹入部３４に入り込んで可動カバー２０が完全に上昇し、つまり、可動カバー２０が閉鎖位置に位置して固定カバー１９の回転用開口部２６を閉鎖する。この収納状態では、可動カバー２０が回転用開口部２６を完全に閉鎖し、かつ、操作用開口部２７も回転操作部３６の貫通によりほぼ完全に閉鎖されているので、ガスコンセント１はほぼ完全に密閉される。
【００２３】
逆に、この収納状態から使用状態へ切り換えるには、回転操作部３６の向き表示３７が収納表示３８の「収納」の反対方向を向くように、回転操作部３６を時計回りまたは反時計回りへ人為的に回転させる。
すると、接続部１３の回転に伴って、押圧部３５が両傾斜部材３２のいずれか一方のスライド用傾斜面３１に沿って前方側（図４（ａ）および図５（ａ）における上方側）へ移動し、可動カバー２０がスプリング２９の弾性付勢力に抗して徐々に下降し、向き表示３７が収納表示３８の「収納」の反対方向を向く位置にくると、可動カバー２０が解放位置に位置して接続部１３が固定カバー１９の回転用開口部２６から十分に突出した使用可能状態となる。
【００２４】
〔別実施形態〕
（１）先の実施形態では、ガスコンセント１の接続部１３を収納状態から使用状態へ切り換えるに際し、回転操作部３６による接続部１３の回転操作を小さな回転力で行えるように、傾斜部材３２のスライド用傾斜面３１を緩やかな傾斜面としたが、ある程度急な傾斜面とすることもできる。その場合には、傾斜部材３２をコンパクトに構成することができるため、図６の（ａ）、（ｂ）に示すように、保護カバー４全体を非常に小型化することが可能となる。
なお、この図６に示す別実施形態において、先の実施形態と同じ構成部品については同じ符号を付してある。
【００２５】
（２）先の実施形態では、ガスコンセント１の本体部５を上下方向に配設して、ガスコンロ用のガスコンセント１として使用する例を示したが、例えば、ガスコンセント１の本体部５を室内の壁面部分に水平方向に配設して、ガスコンロ以外の各種のガス器具用のコンセント１として使用することもでき、本体部５の配設方向や配設箇所などについては、実際の実施に際して種々の設定が可能である。
【００２６】
（３）先の実施形態では、カバー移動機構２８をスプリング２９とスライド機構３０により構成した例を示したが、それ以外の構成によってカバー移動機構２８を構成することもできる。スライド機構３０に関しても、必ずしもスライド用傾斜面３１と押圧部３５により構成する必要はなく、例えば、傾斜状のスリットや溝からなるカム機構とそれに係合するカムフォロアにより構成することもできる。
また、取り付け板２１を介して保護カバー４を取り付け固定する構成を示したが、取り付け板２１を使用することなく、保護カバー４をガスコンロの天板２などの他物に直接取り付けることも、ガスコンセント１に直接取り付けることもできる。
【符号の説明】
【００２７】
１        ガスコンセント
４        保護カバー
５        ガスコンセントの本体部
８        ガスコンセントの回転筒部
１３    ガスコンセントの接続部
１９    固定カバー
２０    可動カバー
２６    回転用開口部
２７    操作用開口部
２８    カバー移動機構
２９    弾性体
３０    スライド機構
３１    スライド用傾斜面
３５    押圧部
３６    回転操作部
Ｐ        ガス供給配管
Ｌ        回転軸芯
【図１】
2014190521.tif 000003
【図２】
2014190521.tif 000004
【図３】
2014190521.tif 000005
【図４】
2014190521.tif 000006
【図５】
2014190521.tif 000007
【図６】
2014190521.tif 000008